(57)【要約】    【課題】  折り畳みベッドを含む各種形態のベッドとしてコンパクトに構成でき、しかも静寂で、不快な振動を抑制しうるエアーマッサージベッドを提供する。    【解決手段】  脚部材を有しマット載置用の載置枠を含むベッド基体と、前記載置枠を覆って該載置枠に載置されるマットと、前記マットに配設されたマッサージ用の複数の空気袋と、該空気袋にエアーを供給するエアー供給手段と、各空気袋へのエアーの給排気を制御する制御手段とを具え、前記エアー供給手段を、前記マット部材のマット使用者の足下側の領域に収納するとともに、前記各空気袋と、エアー供給手段との間を継ぐエアーホースを具えることを特徴とする。【選択図】  図１
2007014415.tif 000002
【特許請求の範囲】
【請求項１】
脚部材を有しマット載置用の載置枠を含むベッド基体と、前記載置枠を覆って該載置枠に載置されるマットと、前記マットに配設されたマッサージ用の複数の空気袋と、該空気袋にエアーを供給するエアー供給手段と、各空気袋へのエアーの給排気を制御する制御手段とを具え、
前記エアー供給手段を、前記マット部材のマット使用者の足下側の領域に収納するとともに、前記各空気袋と、エアー供給手段との間を継ぐエアーホースを具えることを特徴とするエアーマッサージベッド。
【請求項２】
前記ベッド基体は、前記載置枠が、頭側の載置半枠と脚側の載置半枠とからなりかつ載置半枠をたてて折曲げ可能とした収納式ベッド基体であり、かつマットは頭側の載置半枠に配される頭側のマットと、脚側の載置半枠に配される脚側のマットとからなることを特徴とする請求項１記載のエアーマッサージベッド。
【請求項３】
前記マットは、スポンジ材からなるマット本体と、前記空気袋を含んでマット本体を囲むカバーとを含み、かつカバーは、該カバーと前記空気袋とが接触する接触領域を伸縮性に優れる布により形成したことを特徴とする請求項１又は２記載のエアーマッサージベッド。
【請求項４】
前記空気袋は、頭側のマットに配され膨張により背部を押し上げる背部の空気袋と、腰部を押し上げる腰部の空気袋と、脚側のマットに配されふくらはぎが載置される下脚部の空気袋とを含み、
少なくとも前記頭側のマットは、前記マット本体に、空気袋を撓むことなく支持する多孔シートを敷設したことを特徴とする請求項１〜３のいずれかに記載のエアーマッサージベッド。
【請求項５】
前記空気袋は、首部を押し上げる首部の空気袋と、太ももを押し上げる太もも部の空気袋とを含むとともに、前記下脚部の空気袋は、膨張によりＶ字状に折れ曲がりふくらはぎを挟むことを特徴とする請求項１〜４のいずれかに記載のエアーマッサージベッド。
【請求項６】
前記マットは、足下側の領域が隆起する隆起部を具え、該隆起部内に前記エアー供給手段を配したことを特徴とする請求項１〜５のいずれかに記載のエアーマッサージベッド。
【発明の詳細な説明】
【技術分野】
【０００１】
本発明は、空気圧で膨張する空気袋によって、使用者のマッサージ部位を刺激してマッサージするエアーマッサージベッドに関する。
【背景技術】
【０００２】
横臥状態の使用者の肩、腰、脚部などマッサージ部位に、刺激を加えてマッサージするマッサージ機能付きのベッドは、マッサージ椅子に比べて楽な姿勢で使用できることなどから、ベッド本体にバイブレーター方式、可動揉み球方式など各形態のマッサージ機能を付加したものが使用されている。
【０００３】
一例として、図１３に示すように、複数の空気袋ａを、ベッド基体ｂに載置したマットｄの表側に配置し、エアーポンプｅの高圧空気をエアーホースｆを介して前記空気袋ａへ供給して、該空気袋ａの膨張による加圧力でマッサージするマッサージベッドが提案されている（例えば、特許文献１参照）。
【０００４】
この種エアーマッサージベッドは、横臥して体重が載ったマッサージ部位を空気圧により柔らかく押圧できるため、適度な刺激が与えられてマッサージ効果に優れ、またそのまま眠りに入ったとしても刺激が過剰になることがないため、安全性が高く、しかも通常のベッドと兼用できてマッサージ用に特別なスペースを必要としないため、実用性の高いマッサージ装置として多く用いられている。
【０００５】
【特許文献１】特開２００２−２０９６７４号公報
【発明の開示】
【発明が解決しようとする課題】
【０００６】
しかしながら、前記エアーマッサージベッドでは、エアーポンプｅがベッド基体ｂの下部に装着され、エアーホースｆをベッド基体ｂの開口を介してマットｄ内へ挿通させて構成している。従って、エアーマッサージベッド専用のベッド基体ｂを設計製作する必要があり、汎用性を欠くためにコストが高くなり、またエアーポンプｅがベッド基体ｂの下部へ突出するため折り畳みベッドとして構成できない等、構造上の制約が伴うという問題がある。
【０００７】
更に前記エアポンプｅは、ベッド基体ｂ下部へ収納されるものの、音漏れし易いことから騒音が大きくなり、更にはベッド基体ｂを介して機械振動が伝播して不快感を与えるという問題もあった。
【０００８】
本発明は、エアー供給手段を、前記マット部材のマット使用者の足下側の領域に収納するとともに、前記各空気袋と、エアー供給手段との間を継ぐエアーホースを具えることを基本とし、折り畳みベッドを含む各種形態のベッドとしてコンパクトに構成でき、しかも静寂で、不快な振動を抑制しうるエアーマッサージベッドの提供を課題としている。
【課題を解決するための手段】
【０００９】
前記目的を達成するために、請求項１に係る発明では、脚部材を有しマット載置用の載置枠を含むベッド基体と、前記載置枠を覆って該載置枠に載置されるマットと、前記マットに配設されたマッサージ用の複数の空気袋と、該空気袋にエアーを供給するエアー供給手段と、各空気袋へのエアーの給排気を制御する制御手段とを具え、前記エアー供給手段を、前記マット部材のマット使用者の足下側の領域に収納するとともに、前記各空気袋と、エアー供給手段との間を継ぐエアーホースを具えることを特徴とする。
【００１０】
請求項２に係る発明において、前記ベッド基体は、前記載置枠が、頭側の載置半枠と脚側の載置半枠とからなりかつ載置半枠をたてて折曲げ可能とした収納式ベッド基体であり、かつマットは頭側の載置半枠に配される頭側のマットと、脚側の載置半枠に配される脚側のマットとからなり、請求項３に係る発明では、前記マットは、スポンジ材からなるマット本体と、前記空気袋を含んでマット本体を囲むカバーとを含み、かつカバーは、該カバーと前記空気袋とが接触する接触領域を伸縮性に優れる布により形成したことを特徴とする。
【００１１】
請求項４に係る発明では、前記空気袋は、頭側のマットに配され膨張により背部を押し上げる背部の空気袋と、腰部を押し上げる腰部の空気袋と、脚側のマットに配されふくらはぎが載置される下脚部の空気袋とを含み、少なくとも前記頭側のマットは、前記マット本体に、空気袋を撓むことなく支持する多孔シートを敷設したことを特徴とする。
【００１２】
請求項５に係る発明では、前記空気袋は、首部を押し上げる首部の空気袋と、太ももを押し上げる太もも部の空気袋とを含むとともに、前記下脚部の空気袋は、膨張によりＶ字状に折れ曲がりふくらはぎを挟み、また請求項６に係る発明において、前記マットは、足下側の領域が隆起する隆起部を具え、該隆起部内に前記エアー供給手段を配したことを特徴とする。
【発明の効果】
【００１３】
請求項１に係る発明は、エアー供給手段は、マットの厚さ内に収納されるため、エアー供給手段がマットから飛び出して配置されることがなく、エアーマッサージ機能をコンパクトに構成することができる。従って、折り畳みベッドを含め、あらゆる形態のベッドにおいて、マットを載置するだけで簡単にマッサージ機能を付加できる。しかも使用者の足下側領域のマット中に収納されるエアー供給手段は、機械音、振動が低減すると共に使用者の耳から離れるため、快適に使用できる。
【００１４】
請求項２に係る発明では、エアー供給装置がマットに収納されるため、未使用時等に収納式ベッド基体を折畳む際、その折り曲げ動作に支障を一切生じることがなく、取り扱い性に優れる。しかも足下側の領域に収納されたエアー供給装置は、比較的重いとともに折畳み時下位に位置するため、起立するベッドの安定性が向上して、安全に使用しうる。
【００１５】
請求項３に係る発明のように、カバーと空気袋との接触領域に伸縮性に優れた布を配すると、空気袋の膨張による圧力が直に使用者に伝わり、その結果優れたマッサージ効果が得られる。さらに前記カバーの接触領域以外への引張りが低減するため、カバー全体に不整な変形がなくなる。
【００１６】
請求項４に係る発明においては、使用者の体重が比較的重くかかる頭側のマットに、空気袋を撓むことなく支持できる多孔シートが敷設されるため、空気袋の膨張により使用者のツボが有効に加圧され、その結果マッサージ効果を高めうる。請求項５に係る発明では、首部の空気袋の加圧作用により、首のコリ、疲れを有効に低減でき、また太もも部の空気袋が太ももを押し上げて大腿部の疲労を回復しうる。そして膨張してＶ字状に折れ曲がる下脚部の空気袋によって、脹脛がマッサージされ、筋肉疲労を回復できる。また請求項６に係る発明のようにエアー供給手段を足下側領域に形成された隆起部に配置すると、エアー供給手段の上を充分な厚さのマットで覆われるため、クッション性が損なわれることがない。
【発明を実施するための最良の形態】
【００１７】
以下、本発明の実施の一形態を、図示例とともに説明する。図１に示すように、エアーマッサージベッド１は、マット載置用の載置枠３を含むベッド基体４と、前記載置枠３を覆って該載置枠３に載置されるマット５と、このマット５に配設された複数の空気袋６と、空気袋６にエアーを供給するエアー供給手段７と、前記エアーの給排気を制御する制御手段８とを含み構成される。
【００１８】
前記ベッド基体４は、図３に示すように、脚部材２を有して、ベッドの骨格を形成するものである。本形態の載置枠３は、図３に示すように、ニ分割して形成された、頭側の載置半枠１１Ａと脚側の載置半枠１１Ｂとを逆Ｖ字状に折り曲げ可能に連結して構成される。従って本形態のベッド基体４はコンパクトに収納しうる収納式ベッド基体４Ｓとして形成される。但しベッド基体４は、頭側から脚側までを一体の構造とした据置式ベッド基体として構することもできる。
【００１９】
前記頭側の載置半枠１１Ａは、枠材を平面視矩形状ないし略コ字状（本例ではコ字状）に折り曲げて形成した主枠２１と、縦横にのびる補強材２２、２３とが一体に固着されて形成される。なお頭側の載置半枠１１Ａは、マット５を一層安定して支持するため、主枠２１の内側に図示されないネットを張設している。また頭側の載置半枠１１Ａは、ベッド長さ方向の中間部側に位置する内端部が継ぎ材２４に軸着されるとともに、外端部のベッド巾方向の両側に、頭側の支脚材２Ａ、２Ａが取り付けられる。
【００２０】
前記頭側の脚部材２Ａは、本形態では逆Ｔ字状をなす脚フレーム２５と、その下部に取り付けられたキャスター２６とからなり、前記脚フレーム２５の上端部が前記頭側の載置半枠１１Ａの主枠２１に軸着される。さらにこの頭側の脚部材２Ａ、２Ａは、載置半枠１１の下方でベッド巾方向にのびる継ぎ棹２７で連結され一体化している。なお本形態の頭側の載置半枠１１Ａには、垂直に立ち上がる宮板２８が設けられる。
【００２１】
前記脚側の載置半枠１１Ｂは、頭側の載置半枠１１Ａと同様、主枠２１及び補強枠２２、２３を一体に固着して形成される。そして内端部を前記継ぎ材２４に軸着することにより、前記の如く、頭側の載置半枠１１Ａと脚側の載置半枠１１Ｂとが折り畳み可能に連結される。さらに脚側の載置半枠１１Ｂは、前記主枠２１の外端部に一対の脚側の脚部材２Ｂ、２Ｂが固着される。本形態の脚側の脚部材２Ｂ、２Ｂは、下端部にキャスター２９を取り付けるとともに、上端部間に横材３０が架け渡されて門型の脚構成材３１を形成している。さらに前記横材３０には、その中間部に、図８に示す如く折り畳んだ際に脚側の載置半枠１１Ｂを支える、補助キャスター３２が設けられる。また脚側の載置半枠１１Ｂは、その両側部に、使用者が把持しうる手摺部材３３が設けられる。
【００２２】
前記継ぎ材２４は、ベッドの幅方向の両側に一対を配置し、その間に連結材３４を架け渡して一体化し、更にこの連結材３４には、略Ｕ字状の中間の脚部材２Ｃが垂設される。該中間の脚部材２Ｃは、載置半枠１１の伸展状態において床面に接地でき、前記頭側の支脚材２Ａ及び脚側の脚部材２Ｂとともにベッド荷重を支持して、使用時の安定性を高める。さらに本形態では、前記中間の脚部材２Ｃと頭側の載置半枠１１Ａとの間、及び中間の脚部材２Ｃと脚側の載置半枠１１Ｂとの間に、引張バネ３５が架け渡される。
【００２３】
前記のように、継ぎ材２４の両端に双方の載置半枠１１が軸着されているため、図８に示すように、載置半枠１１を垂直姿勢に折り曲げることによりベッドをコンパクトに収納することができる。その際、前記引張バネ３５は、前記折り畳み時の操作力を軽減するとともに展開時の衝撃の緩和できる。なお電動機などを使用して、自動によりベッドの折り畳み、展開動作を行わせることも良い。
【００２４】
前記マット５は、本形態では、マット本体１２と、多孔シート１４とを含み構成されたものを例示している。また本形態のマット５は、頭側の載置半枠１１Ａに配される頭側のマット５Ａと、脚側の載置半枠１１Ｂに配される脚側のマット５Ｂとに分割して形成される。但し、マット５は分割されることなく一体マットとして形成することもできる。
【００２５】
前記頭側のマット５Ａのマット本体１２は、図６に示すように、平面視矩形状をなし、下からベースマット層１２Ｂと、メインマット層１２Ｍとを積層して形成される。また脚側のマット５Ｂのマット本体１２は、図４、５に示すように、同様に平面視矩形状をなし、下からベースマット層１２Ｂと、メインマット層１２Ｍと、このメインマット層１２Ｍの足下側の矩形領域にのみ重ねられるトップマット層１２Ｔとを積層して形成される。なお前記トップマット層１２Ｔにより、マット５は足下側の領域が隆起した隆起部１５が形成される。
【００２６】
また前記脚側のマット５Ｂのメインマット層１２Ｍには、前記トップマット層１２Ｔが載る領域に、矩形状に切除されて上下に連通する収納部３６が形成される。更にベースマット層１２Ｂ、メインマット層１２Ｍ、トップマット層１２Ｔを、各々複層のマット積層体を用いて構成することもできる。
【００２７】
前記ベースマット層１２Ｂの厚さは、例えば、１０〜１００ｍｍ程度、好ましくは２０〜５０ｍｍ、本形態では３０ｍｍ程度としている。また前記メインマット層１２Ｍの厚さは、例えば、２０〜２００ｍｍ程度、好ましくは４０〜１５０ｍｍ、本形態では８０〜１２０ｍｍ程度としている。更にトップマット層１２Ｔの厚さは、例えば、１５〜１３０ｍｍ程度、好ましくは３０〜８０ｍｍ、本形態では５０ｍｍ程度としている。尚トップマット層１２Ｔのベッド長手方向の長さは、例えば４００〜８００ｍｍ程度、本形態では６００ｍｍ程度に形成される。
【００２８】
尚マット５は、ウレタンフォーム、ポリエチレンフォームなどのスポンジ材を用いて形成される。なお厚さの大きなメインマット層１２Ｍに、再生スポンジを用いると、環境負荷を低減できる点で好ましい。
【００２９】
前記多孔シート１４は、図４、５に示すように、前記メインマット層１２Ｍの上に敷設される。また多孔シート１４は、少なくとも頭側のマット５Ａに敷設され、本形態では、これに加えて図５に示すように、脚側のマット５Ｂのトップマット層１２Ｔが積層されない領域にも敷設される。本形態の多孔シート１４は、ポリエチレン樹脂、ポリプロピレン樹脂、ポリスチレン樹脂、フェノール樹脂、不飽和ポリエステル樹脂などのプラスチック材料を用いてメッシュ状に成形したものが使用される。この他、小孔を多数穿設したプラスチック薄板を用いることもできる。このように、多孔シート１４は、マット５に対する荷重を分散して局部的な沈み込みを防止できるように、比較的剛性の高い材質で形成される。
【００３０】
前記空気袋６は、中空密閉袋状をなし、高圧空気の充填により膨張し、使用者のマッサージ部位を加圧してマッサージしうるものである。本形態の空気袋６は、頭側のマット５Ａにおいて、図２、６に示すように、ベッド巾方向に一対が並設され、使用者の背部略全体を押し上げる背部の空気袋６Ｂと、この背部の空気袋６Ｂを挟んで頭側、腰側に各々配され、かつベッド巾方向に平行に細長くのびて、使用者の首部、腰部を押し上げて加圧する首部の空気袋６Ｎ、腰部の空気袋６Ｗとが設けられる。前記首部の空気袋６Ｎは、頚部を押圧することにより首のコリ、疲れを有効に低減できる。
【００３１】
また脚側のマット５Ｂにおいては、図２、５に示すように、太ももを押し上げる太もも部の空気袋６Ｆと、前記トップマット層１２Ｔの上にベッド巾方向に一対が並び、ふくらはぎが載置される下脚部の空気袋６Ｌとが設けられる。前記太もも部の空気袋６Ｆは、大腿部を加圧して脚の疲労を有効に回復できる。下脚部の空気袋６Ｌは、空気充填してＶ字状に折れ曲がるため、図７（Ａ）（Ｂ）に示すように、載置された脹脛を押し上げると同時に両側から挟みこんでマッサージし、運動などによる筋肉痛、下肢の疲労を効果的に低減して回復させることができる。
【００３２】
各空気袋６は、図４に示すように、マット５の多孔シート１４或いはトップマット層１２Ｔに、小ループを多数設けた雌面材と小フックを多数設けた雄面材とが圧着されて着脱可能に係合する面ファスナー４３を用いて着脱可能に取り付けられる。これ以外に接着、金具止めなどを用いて取り付けることができる。また前記の如く、使用者の体重が比較的重くかかる頭側のマット５Ａ及び本形態では、脚側のマット５Ｂの大腿部を支持する領域に比較的剛性の高い多孔シート１４が敷設され、その上に空気袋６が取り付けられる。その結果空気袋６は撓むことなく支持されるため、空気袋６が空気膨張によって押上力を生じ、その圧力が使用者に有効に作用して、ツボが効果的に加圧されてマッサージ効果を高めることができる。
【００３３】
前記エアー供給手段７は、本形態では図１０に示すように、空気袋６に供給する高圧空気を発生するエアーポンプ３８と、前記高圧空気の前記各空気袋６に対する供給を個別に入り切りする三方弁を用いた複数個の弁Ａ〜弁Ｇとを含み構成されたものを例示している。そして本形態では、前記エアーポンプ３８及び複数個の弁Ａ〜弁Ｇは、ボックス状にユニット３９内に内蔵される。そしてこのユニット３９は、図４、５に示すように、前記脚側のマット５Ｂに形成された収納部３６内に収容される。従って前記エアー供給手段７は、マット５の厚さ内に収納されるため、マット５から突出することがなく、エアーマッサージ機能をコンパクトに組み込むことができる。その結果、前記マット５をベッド基体４に載置することによりあらゆる形態のベッドに対してエアーマッサージ機能を簡単に付加することができる。更にエアー供給手段７は、クッション性に富むマット本体１２に覆われるため機械音、振動が低減してベッド周囲の静寂性を維持できる。しかもエアー供給手段７は、マット５の使用者の足下側の領域９に収納され、使用者の耳から最も離れた位置に配置されるため、快適性を向上できる。
【００３４】
しかも本形態のエアー供給手段７は、メインマット層１２Ｍの上にトップマット層１２Ｔを積層した隆起部１５の内部に収納されるため、エアー供給手段７が充分な厚さのマット本体１２で覆われて、クッション性を低下させることがない。
【００３５】
また本形態のように、頭部側の載置半枠１１と脚側の載置半枠１１Ｂとが逆Ｖ字状に折り畳可能に形成した収納式ベッド基体４Ｓを採用した場合であっても、図８に示すように、エアー供給手段７がマット５内部に収納されて出っ張りを生じないため、スムースに折り畳みできて、取り扱い性に優れる。しかも足下側の領域９に収納されたエアー供給手段７は、折り畳んだ状態において下位に位置するため、機械部分を含み重量が大きなエアー供給手段７が重心を下げて、逆Ｖ字状に起立したベッドの安定性を向上させる。
【００３６】
前記エアー供給手段７は、各空気袋６との間をエアーホース１０により接続され、これによりエアーポンプ３８から送り出される高圧空気は各空気袋６に向けて供給される。本形態では図１０に示すように、前記弁Ａ〜弁Ｇとこれに対応する各空気袋６とが個別に独立したエアーホース１０により接続される。但し図５に示すように、エアー供給手段７からのびる複数のエアーホース１０は、一つに束ねるとともに管状のカバーにより全体が被覆され、各空気袋６の近傍から分岐して配設されている。更に本形態では、図３に示すように、脚側のマット５Ｂ及び頭部側のマット５から各々延出したエアーホース１０の先端に、相互にジョイントされて、首部の空気袋６Ｎ、背部の空気袋６Ｂ、及び腰部の空気袋６Ｗへ向けて漏れなく空気を送給しうる接続具４０、４０が装着される。従って、この接続具４０、４０を接合して高圧空気を全空気袋６へ供給することができ、マット５をベッド基体４から取り外す際には、接続具４０の接続を外して頭部側のマット５と脚側のマット５Ｂとを分離することができる。
【００３７】
前記各空気袋６へのエアーの給排気は、制御手段８により制御される。本形態の制御手段８は、図１０に示すように、全体をコントロールするメイン制御部８Ａと、このメイン制御部８Ａからの信号を受けてエアーポンプ３８をコントロールするエアーポンプ制御部８Ｂと、弁Ａ〜弁Ｇを個別に制御する空気弁制御部８Ｄとを具える。また本形態の制御手段８は、前記エアー供給手段７と共に前記ユニット３９内に収容され、従って脚側のマット５Ｂの収納部３６内に収容される。前記各々の弁（三方弁）は、空気弁制御部８Ｄに制御されて、図１１に示すように、各空気袋６に連続するエアーホース１０がエアーポンプに連通するポンプ側と、大気に連通する開放側に切換可能に制御される。三方弁がポンプ側、かつエアーポンプの動作時には、空気袋６の内圧は上昇して膨張し、次いでエアーポンプが停止するとその内圧を維持する。更に三方弁が開放に切り替わると空気袋６の内圧が低下して空気袋６が収縮する。この一連の動作がメイン制御部８Ａからの信号で繰り返され、これにより各空気袋６の膨張、収縮運動が波状に連続して使用者をマッサージする。
【００３８】
前記制御手段８は、各空気袋６の自動運転モードを制御する自動運転制御部８Ｅと、連続運転時間を制御する動作時間制御部８Ｆとを含む。また前記メイン制御部８Ａは、エアーポンプ３８から供給される高圧空気圧を検知するエアー圧力センサ、及び図９に示すリモートコントローラ４１（運転入力部）からの運転信号が入力され、また前記リモートコントローラ４１のタイマー４２に対して動作時間データを出力している。
【００３９】
更に本形態では、前記マット本体１２及び空気袋６全体を囲んで、カバー１３が装着される。前記カバー１３は、前記マット５全体を収容しうる袋状をなし、本形態では図４、６に示すように、頭側のマット５Ａ、脚側のマット５Ｂに分かれて形成される。そして各々スライドファスナー３７により開閉可能に形成されるため、マット本体１２に対して装着取外し自在である。更にカバー１３は、その上面中央で前記空気袋６の上を覆ってこれと接触する接触領域１６を、ジャージ、トリコット、ベルベット、ニット等の伸縮性に富む布を用いて形成している。そのため、膨張した空気袋６の圧力が減衰することなく使用者に伝わり、優れたマッサージ効果が得られる。また前記カバー１３の接触領域１６以外への引張り力が低減するため、カバー１３全体に不整な変形を抑制でき見栄えに優れる。尚、マッサージ機能を使わないで通常のベッドとする際は、前記カバー１３上に敷パットを敷設して使用する。
【００４０】
図１２は他の実施形態を例示している。以下異なる内容について説明し、それ以外は図中に表れた主要構成に同じ符号を付すだけとする。本形態は、据置式ベッドが例示され、マット載置用の載置枠３は、頭側から脚側までを一体構造とした大型載置枠が用いられる。そして、その上に載置された厚いマット５に、複数の空気袋６及びエアー供給手段７を配置している。
【００４１】
尚、叙上の説明は本発明の実施の形態を例示したものである。従って本発明の技術的範囲はこれに何ら限定されるものではなく、前記した実施の形態の他にも各種の変形例が含まれる。
【図面の簡単な説明】
【００４２】
【図１】本発明の一実施の形態を例示する断面図である。
【図２】その使用状態の平面図である。
【図３】その分解斜視図である。
【図４】脚側のマットを例示する分解斜視図である。
【図５】その要部分解斜視図である。
【図６】頭部側のマットを例示する分解斜視図である。
【図７】（Ａ）（Ｂ）は下脚部の空気袋の動作状態を説明する断面図である。
【図８】折り曲げた収納状態を例示する正面図である。
【図９】リモートコントローラの平面図である。
【図１０】エアーホースの配管及び制御系統を説明するブロック図である。
【図１１】制御手段の動作を説明するタイムチャートである。
【図１２】他の実施の態様を例示する断面図である。
【図１３】従来例の要部断面図である。
【符号の説明】
【００４３】
１      エアーマッサージベッド
２      脚部材
３      載置枠
４      ベッド基体
４Ｓ    収納式ベッド基体
５      マット
５Ａ    頭側のマット
５Ｂ    脚側のマット
６      空気袋
６Ｂ    背部の空気袋
６Ｆ    太もも部の空気袋
６Ｌ    下肢部の空気袋
６Ｎ    首部の空気袋
６Ｗ    腰部の空気袋
７      エアー供給手段
８      制御手段
９      足下側の領域
１０      エアーホース
１１      載置半枠
１１Ａ    頭側の載置半枠
１１Ｂ    脚側の載置半枠
１２      マット本体
１３      カバー
１４      多孔シート
１５      隆起部
１６      接触領域
【図１】
2007014415.tif 000003
【図２】
2007014415.tif 000004
【図３】
2007014415.tif 000005
【図４】
2007014415.tif 000006
【図５】
2007014415.tif 000007
【図６】
2007014415.tif 000008
【図７】
2007014415.tif 000009
【図８】
2007014415.tif 000010
【図９】
2007014415.tif 000011
【図１０】
2007014415.tif 000012
【図１１】
2007014415.tif 000013
【図１２】
2007014415.tif 000014
【図１３】
2007014415.tif 000015